(57)【要約】【課題】測定対象物及び測定内部品質項目の選択操作性を向上させ、選択操作における人為操作ミスを可及的に防止し得る品質判定システムを提供する。【解決手段】制御装置は、複数の判定可能対象物の一覧及び複数の判定可能内部品質項目の一覧をモニター画面に表示し、モニター画面に表示された判定可能対象物の一覧及び判定可能内部品質項目の一覧から入力装置を介して選択された一の判定可能対象物及び一又は複数の判定可能内部品質項目を測定対象物及び測定内部品質項目として認識し、分光部から入力される測定対象物の分光情報に基づき前記測定内部品質項目に関する品質を判定し、判定結果を前記モニター画面に表示する。【選択図】図３
2016205875.tif 000002
【特許請求の範囲】
【請求項１】
測定対象物に対して測定光を投光する投光部と、測定対象物を透過した又は反射した測定光を受光する受光部と、前記受光部で受光された測定光を分光する分光部と、制御装置と、モニター画面を有する表示装置と、情報を人為入力可能な入力装置とを備え、
前記制御装置は、内部品質の判定が可能な複数の判定可能対象物の一覧及び判定可能な複数の判定可能内部品質項目の一覧を前記モニター画面に表示し、前記モニター画面に表示された判定可能対象物の一覧及び判定可能内部品質項目の一覧から前記入力装置を介して選択された一の判定可能対象物及び一又は複数の判定可能内部品質項目を測定対象物及び測定内部品質項目として認識し、前記分光部から入力される測定対象物の分光情報に基づき前記測定内部品質項目に関する品質を判定し、判定結果を前記モニター画面に表示することを特徴とする品質判定システム。
【請求項２】
前記制御装置には、複数の判定可能対象物毎に判定すべき推奨内部品質項目が記憶されており、
前記制御装置は、判定可能対象物の一覧及び判定可能内部品質項目の一覧を前記モニター画面に表示する際に、推奨内部品質項目を併せて表示することを特徴とする請求項１に記載の品質判定システム。
【請求項３】
前記制御装置は、推奨品質内部項目を重要度が認識できるように表示することを特徴とする請求項２に記載の品質判定システム。
【請求項４】
前記制御装置には、複数の判定可能対象物毎に判定すべき推奨内部品質項目が記憶されており、
前記制御装置は、判定可能対象物の一覧から前記入力装置を介して測定対象物が選択されると、選択された測定対象物の推奨内部品質項目を自動的に測定内部品質項目として選択することを特徴とする請求項１に記載の品質判定システム。
【請求項５】
前記制御装置は、測定内部品質項目として複数の判定可能内部品質項目が選択されている場合には、前記入力装置を介して入力される重み付けを勘案した測定内部品質項目の判定品質に基づき総合品質判定を行い、測定内部品質項目の個別品質判定結果に代えて、又は、加えて総合品質判定結果を前記モニター画面に表示することを特徴とする請求項１から４の何れかに記載の品質判定システム。
【請求項６】
前記制御装置は、測定対象物の外部品質を重み付け対象項目に加え得るように構成されており、重み付けを勘案した状態の測定内部品質項目の判定品質及び外部品質に基づき前記総合品質判定を行うことを特徴とする請求項５に記載の品質判定システム。
【請求項７】
前記制御装置は、前記入力装置を介して入力される重み付けを勘案した測定内部品質項目の判定品質及び測定対象物の外部品質に基づき総合品質判定を行い、測定内部品質項目の個別品質判定結果に代えて、又は、加えて総合品質判定結果を前記モニター画面に表示することを特徴とする請求項１から４の何れかに記載の品質判定システム。
【発明の詳細な説明】
【技術分野】
【０００１】
本発明は、複数種類の測定対象物に対して複数の内部品質項目に関する品質判定を行える品質判定システムに関する。
【背景技術】
【０００２】
測定対象物に対して測定光を投光する投光部と、測定対象物を透過した又は反射した測定光を受光する受光部と、前記受光部で受光された測定光を分光する分光部と、制御装置とを備え、前記制御装置が、前記分光部からの分光情報に基づき測定対象物の内部品質を非破壊で検査するように構成された内部品質検査装置が提案されている（下記特許文献１参照）。
【０００３】
前記内部品質装置はマンゴー、ゴーヤ、キウイ等の複数種類の測定対象物に対して利用でき、さらに、糖度、酸度、内部障害等の複数の内部品質項目に関する検査を行うことができる。
【０００４】
また、食品表示の新たな制度として機能性表示食品制度が導入されたことに伴い、前記内部品質装置によって、糖度、酸度及び内部障害に加えて、ビタミン成分やミネラル成分、さらには、機能性成分の検査を行うことが望まれる。
【０００５】
ところで、検査すべき又は重要な内部品質項目は、測定対象物の種類に依存して異なる。
この点に関し、従来の内部品質装置を用いて複数種類の測定対象物の内部品質検査を行う場合には、作業者が、測定対象物の種類に応じて、自らの知識で検査すべき内部品質項目を決定し、選択操作しなければならない。
このような選択作業は作業者にとって負荷が大きく、ミスも起こり易い。
【先行技術文献】
【特許文献】
【０００６】
【特許文献１】特開２０１２−１２２８７６号公報
【発明の概要】
【発明が解決しようとする課題】
【０００７】
本発明は、斯かる従来技術に鑑みなされたものであり、複数種類の測定対象物に対し内部品質検査を行う際に、測定対象物の選択操作並びに測定内部品質項目の選択操作における作業者の負荷を軽減でき、さらに、前記選択操作において生じ得る人為操作ミスを可及的に防止し得る品質判定システムの提供を目的とする。
【課題を解決するための手段】
【０００８】
本発明は、前記目的を達成するために、測定対象物に対して測定光を投光する投光部と、測定対象物を透過した又は反射した測定光を受光する受光部と、前記受光部で受光された測定光を分光する分光部と、制御装置と、モニター画面を有する表示装置と、情報を人為入力可能な入力装置とを備え、前記制御装置は、内部品質の判定が可能な複数の判定可能対象物の一覧及び判定可能な複数の判定可能内部品質項目の一覧を前記モニター画面に表示し、前記モニター画面に表示された判定可能対象物の一覧及び判定可能内部品質項目の一覧から前記入力装置を介して選択された一の判定可能対象物及び一又は複数の判定可能内部品質項目を測定対象物及び測定内部品質項目として認識し、前記分光部から入力される測定対象物の分光情報に基づき前記測定内部品質項目に関する品質を判定し、判定結果を前記モニター画面に表示する品質判定システムを提供する。
【０００９】
好ましい一形態においては、前記制御装置には、複数の判定可能対象物毎に判定すべき推奨内部品質項目が記憶され、前記制御装置は、判定可能対象物の一覧及び判定可能内部品質項目の一覧を前記モニター画面に表示する際に、推奨内部品質項目を併せて表示するように構成される。
【００１０】
前記一形態において、好ましくは、前記制御装置は、推奨品質内部項目を重要度が認識できるように表示する。
【００１１】
他形態においては、前記制御装置には、複数の判定可能対象物毎に判定すべき推奨内部品質項目が記憶され、前記制御装置は、判定可能対象物の一覧から前記入力装置を介して測定対象物が選択されると、選択された測定対象物の推奨内部品質項目を自動的に測定内部品質項目として選択するように構成される。
【００１２】
本発明に係る品質判定システムの種々の構成において、前記制御装置は、測定内部品質項目として複数の判定可能内部品質項目が選択されている場合には、前記入力装置を介して入力される重み付けを勘案した測定内部品質項目の判定品質に基づき総合品質判定を行い、測定内部品質項目の個別品質判定結果に代えて、又は、加えて総合品質判定結果を前記モニター画面に表示するように構成され得る。
【００１３】
測定内部品質項目の個別品質判定結果に代えて、又は、加えて総合品質判定結果を前記モニター画面に表示する構成において、好ましくは、前記制御装置は、測定対象物の外部品質を重み付け対象項目に加え得るように構成され、重み付けを勘案した状態の測定内部品質項目の判定品質及び外部品質に基づいて前記総合品質判定を行うように構成される。
【００１４】
本発明に係る品質判定システムの種々の構成において、前記制御装置は、前記入力装置を介して入力される重み付けを勘案した測定内部品質項目の判定品質及び測定対象物の外部品質に基づき総合品質判定を行い、測定内部品質項目の個別品質判定結果に代えて、又は、加えて総合品質判定結果を前記モニター画面に表示するように構成され得る。
【発明の効果】
【００１５】
本発明に係る品質判定システムによれば、制御装置が、モニター画面に表示された判定可能対象物の一覧及び判定可能内部品質項目の一覧を用いて測定対象物及び測定内部品質項目の選択を行えるように構成されており、分光部から入力される測定対象物の分光情報に基づき選択された測定内部品質項目に関する品質を判定し、判定結果を前記モニター画面に表示するように構成されているので、測定対象物の選択操作並びに当該測定対象物にとって判定すべき及び／又は重要な内部品質項目の選択操作に際し作業者の負荷を軽減することができ、さらに、前記選択操作において生じ得る人為操作ミスを可及的に防止することができる。
【図面の簡単な説明】
【００１６】
【図１】図１は、本発明の一実施の形態に係る品質判定システムの模式図である。
【図２】図２は、モニター画面に表示される、判定可能対象物の一覧及び判定可能内部品質項目の一覧の表示例である。
【図３】図３は、図２に示す表示例において、品種ｃ１が測定対象物として選択され、且つ、所望の判定可能内部品質項目が測定内部品質項目として選択された状態を示している。
【図４】図４は、図３に示す測定対象物の、選択された測定内部品質項目に関する判定結果、並びに、総合品質判定結果の表示例である。
【図５】図５は、図２に示す判定可能対象物の一覧及び判定可能内部品質項目の一覧に対応する表示例であり、外部品質項目が選択可能項目として追加された表示例である。
【図６】図６は、図５に示す表示例において、品種ｃ１が測定対象物として選択され、且つ、所望の判定可能内部品質項目が測定内部品質項目として選択され、さらに、総合品質判定を行う際の判断要素の一つとして外部品質項目が選択された状態を示している。
【図７】図７は、図６に示す測定対象物の、選択された測定内部品質項目及び外部品質項目に関する判定結果、並びに、総合品質判定結果の表示例である。
【発明を実施するための形態】
【００１７】
以下、本発明に係る品質判定システムの好ましい一実施の形態について、添付図面を参照しつつ説明する。
図１に、本実施の形態に係る品質判定システム１の模式図を示す。
【００１８】
本実施の形態に係る品質判定システム１は、農作物等の測定対象物の内部品質を判定し得るように構成されている。
詳しくは、図１に示すように、前記品質判定システム１は、測定対象物Ｓに対して測定光を投光するハロゲンランプ等の投光部１０と、測定対象物Ｓを透過した又は測定対象物Ｓから反射した測定光を受光する受光部２０と、前記受光部２０で受光された測定光を分光する分光部３０と、制御装置５０と、モニター画面を有する表示装置６０と、情報を人為入力可能な入力装置７０とを備えている。
【００１９】
なお、本実施の形態においては、図１に示すように、前記品質判定システム１は、さらに、測定対象物Ｓを搬送する搬送装置８０を備えており、前記投光部１０は前記搬送装置８０における搬送ベルト等の搬送部材８１上の測定対象物Ｓに対して測定光を投光するように配置されている。
【００２０】
本実施の形態においては、前記受光部２０は、前記搬送部材８１を挟んで前記投光部１０とは反対側に配置されており、前記投光部１０から投光され、測定対象物Ｓを透過した測定光を受光する。
従って、前記搬送部材８１には、前記投光部１０から投光され、測定対象物Ｓを透過した測定光が前記受光部２０へ向けて通過する為の開口が設けられる。
なお、前記投光部１０及び前記受光部２０を前記搬送部材８１上の測定対象物Ｓを挟んで横方向に対向配置させることも可能である。この場合には、前記搬送部材８１に透過光を通過させる為の開口を設ける必要はない。
【００２１】
前記制御装置５０は、前記分光部１０、前記表示装置６０及び前記入力装置７０に電気的に接続されている。
なお、本実施の形態に係る前記品質判定システム１には、前述の通り、前記搬送装置８０が備えられており、この場合には、前記制御装置５０は前記搬送装置８０の駆動アクチュエータ８５を作動制御し得るように前記駆動アクチュエータ８５にも電気的に接続される。
【００２２】
前記制御装置５０には、前記投光部１０、前記受光部２０及び前記分光部３０を含む光学式測定機構によって品質判定が可能な農作物等の測定対象物（判定可能対象物）に関するデータ、並びに、前記光学測定機構によって判定可能な内部品質項目（判定可能内部品質項目）に関するデータが予め記憶されている。
【００２３】
判定可能対象物としては、ニンジン、メロン、カボチャ、柑橘、ナシ、リンゴ、トマト、タマネギ等の品目が例示され、さらに、各品目における品種も判定可能対象物として区別され得る。
【００２４】
判定可能内部品質項目としては、糖度、酸度、内部障害、ビタミン、ミネラル、機能性成分等が例示される。
ビタミンは、例えば、ビタミンＡ、ビタミンＢ１、ビタミンＣ及びビタミンＥに細分類され得る。
ミネラルは、例えば、カルシウム及びカリウムに細分類され得る。
機能性成分は、例えば、カテキン及びイソフラボンを含むポリフェノール、リコピン及びカロテンを含むカロテノイド、ソルビトール、並びに、イオウ化合物に細分類され得る。
【００２５】
さらに、前記制御装置５０には、複数の判定可能内部品質項目毎に品質判別データが記憶されている。
品質判別データには、検量線データと、後述する閾値データとが含まれる。
【００２６】
検量線データとは成分値と吸光度とを関連付けた計算式データであり、前記制御装置５０は、前記分光部３０から入力される測定対象物Ｓの分光情報と選択された所望の内部品質項目の検量線データとを用いて、所望の内部品質項目の含有量を算出する。
【００２７】
具体的には、一の測定対象物Ｓ（例えば、トマト）における判定可能内部品質項目のうち、例えば、糖度、酸度及びカロテノイドの含有量を測定する場合、前記制御装置５０は、前記分光部３０から入力される前記測定対象物Ｓ（トマト）の分光情報（検出波長：例えば500nm〜1000nm）を、予め記憶されている糖度用検量線データ、酸度用検量線データ及びカロテノイド用検量線データにそれぞれ適用する。
【００２８】
即ち、前記分光部３０から取得した分光情報のうち、内部品質項目毎（前記例においては、糖度検出用、酸度検出用及びカロテノイド検出用）に予めそれぞれ設定された特定波長域の情報（及び／又はその二次微分強度）を、対応する検量線データに適用することで、前記測定対象物Ｓ（トマト）における所望内部品質項目（前記例においては、糖度、酸度及びカロテノイド）のそれぞれの推定含有値を略同時に検出することができる。
【００２９】
本実施の形態においては、測定対象物Ｓの選択作業、並びに、測定対象物Ｓにとって検査すべき及び／又は重要な内部品質項目の選択作業の容易化を図ると共に、かかる作業における人為ミスを可及的に防止する為に、下記構成が採用されている。
【００３０】
即ち、前記入力装置７０を介して入力される起動信号に応じて又は自動的に品質判定モードが起動されると、前記制御装置５０は、判定可能対象物の一覧及び判定可能内部品質項目の一覧を前記モニター画面に表示する。
図２に、判定可能対象物の一覧及び判定可能内部品質項目の一覧の表示例を示す。
【００３１】
本実施の形態においては、前記制御装置５０は、前記判定可能対象物の一覧を用いて選択された一の判定可能対象物を測定対象物Ｓとして認識し、且つ、前記判定可能内部品質項目の一覧を用いて選択された一又は複数の内部品質項目を品質判定を行う選択内部品質項目として認識する。
【００３２】
図３に、一の判定可能対象物ｃ１が測定対象物Ｓとして選択され、且つ、所定項目が測定内部品質項目として選択された状態の判定可能対象物の一覧及び判定可能内部品質項目の一覧を示す。
【００３３】
測定対象物Ｓの選択は、タッチパネル又はキーボード等によって構成される前記入力装置７０によってカーソルを所望の品種（図３においては品種「ｃ１」）の欄に位置させた状態で、例えばエンターキー操作や所定スイッチ操作等の決定操作を行うことによって達成される。
【００３４】
同様に、測定内部品質項目の選択は、タッチパネル又はキーボード等によって構成される前記入力装置７０によってカーソルを所望の内部品質項目（図３においては「糖度」、「ビタミンＢ１」、「ビタミンＥ」及び「カロテノイド」の４項目）の欄に位置させた状態で、例えばエンターキー操作や所定スイッチ操作等の決定操作を行うことによって達成される。
【００３５】
前記制御装置５０は、このようにして選択された測定対象物Ｓに対し、選択された測定内部品質項目用の検量線データと前記分光部３０から入力される分光情報とに基づいて、選択された測定内部品質項目の予測含有値を算出し、この予測算出値を前記閾値データと対比することで、選択された測定内部品質項目毎に個別に品質を判定する。
【００３６】
詳しくは、前記閾値データは、判定可能な内部品質項目毎に設定された一又は複数の閾値を有している。
前記閾値の個数は、判定される品質のグレード数に依存する。
例えば、品質が「秀」、「優」、「良」の三段階に区分けされて判定される場合には、閾値は、「秀」及び「優」を区分けする上側閾値と、「優」及び「良」を区分けする下側閾値とを有するものとされる。
【００３７】
前記制御装置５０は、このようにして行った判定結果を前記モニター画面に表示する。
図４に、判定結果の表示例を示す。
【００３８】
斯かる構成の前記品質判定システム１によれば、前記モニター画面に表示された判定可能対象物の一覧及び判定可能内部品質項目の一覧を利用して、測定対象物Ｓの選択作業及び測定内部品質項目の選択作業を行うように構成されているので、前記選択作業の容易化を図ることができると共に、人為入力ミスを可及的に防止することができる。
【００３９】
図４に示すように、本実施の形態においては、前記制御装置５０は、測定内部品質項目の個別品質判定結果に加えて、総合品質判定結果を行い、その結果を前記モニター画面に表示するように構成されている。
【００４０】
総合品質判定は、人為設定される重み付けを勘案した状態での測定内部品質項目の個別品質判定結果に基づき行われる。
【００４１】
詳しくは、図３に示すように、測定内部品質項目として複数の判定可能内部品質項目が選択された場合には、前記制御装置５０は、複数の測定内部品質項目に対して重み付けを設定可能とされている。
【００４２】
図３の例を用いて重み付けの設定について説明する。
図３の例においては、測定内部品質項目として、「糖度」、「ビタミンＢ１」、「ビタミンＥ」及び「カロテノイド」の４項目が選択されており、この場合には、前記４項目に対して重み付けが設定される。
【００４３】
具体的には、「糖度」、「ビタミンＢ１」、「ビタミンＥ」及び「カロテノイド」の４項目に対して設定される重み付け係数の合計が１になるように、それぞれの項目に対する重み付け係数が任意に設定可能とされている。
この重み付け係数の設定は、前記入力装置７０を介して作業者が仕様又は要望に応じて自由に設定することができる。
【００４４】
ここで、「糖度」、「ビタミンＢ１」、「ビタミンＥ」及び「カロテノイド」の個別品質判定が、図４に示すように、それぞれ、「秀」、「優」、「優」及び「秀」であったとする。
【００４５】
前記制御装置５０は、測定内部品質項目の個別品質判定の結果である「秀」、「優」及び「良」を予め設定されている換算規則に従って品質ポイントに換算する。例えば、「秀」、「優」及び「良」の品質ポイントは、それぞれ、「５点」、「３点」及び「１点」とされる。
【００４６】
前記制御装置５０は、測定内部品質項目毎に、品質ポイントに重み付け係数を乗算して重み付け勘案品質ポイントを算出し、これらを合算することによって総合品質ポイントＧを算出する。
【００４７】
図４に示す例において、例えば、「糖度」、「ビタミンＢ１」、「ビタミンＥ」及び「カロテノイド」に対する重み付け係数が、それぞれ、「０．５」、「０．１」、「０．１」及び「０．３」と設定された場合には、総合品質ポイントＧは４．６となる（Ｇ＝０．５×５点＋０．１×３点＋０．１×３点＋０．３×５点＝４．６）。
【００４８】
前記制御装置５０には総合品質ポイント用の閾値も予め記憶されており、前記制御装置５０は、算出した総合品質ポイントを前記閾値に対比することによって、総合品質の判定を行う。
【００４９】
例えば、総合品質ポイント用の閾値として、上側閾値が３．５、下側閾値が２．５と設定されているとする。
前述の例における総合品質ポイントＧ＝４．６は、上側閾値３．５よりも大なので、総合品質は「秀」と判定される。
【００５０】
図４においては、前記制御装置５０は、測定内部品質項目の個別品質判定結果及び総合品質判定結果を併せて前記モニター画面に表示させているが、当然ながら、仕様又は所望に応じて、何れか一方のみを表示させることも可能である。
【００５１】
また、本実施の形態においては、図２及び図３に示すように、前記制御装置５０は、判定可能対象物の一覧及び判定可能内部品質項目の一覧を前記モニター画面に表示する際に、判定可能対象物のそれぞれに対する推奨内部品質項目を併せて表示するように構成されている。
【００５２】
即ち、品質判定すべき又は重要な内部品質項目は測定対象物Ｓの種類毎に相違する。
例えば、トマトの場合には、「カロテノイド」、「糖度」、「酸度」及び「ビタミンＡ」が品質判定すべき又は重要な内部品質項目となり、カボチャの場合には、「カロテノイド」、「ビタミンＢ１」及び「ビタミンＥ」が品質判定すべき又は重要な内部品質項目となる。
【００５３】
本実施の形態においては、前記制御装置５０には、予め、測定対象物Ｓ毎に決まっている品質判定すべき又は重要な内部品質項目が記憶されている。
そして、前記制御装置５０は、図２及び図３に示すように、判定可能対象物の一覧及び判定可能内部品質項目の一覧を前記モニター画面に表示する際に、判定可能対象物のそれぞれに対する推奨内部品質項目を併せて表示する。
【００５４】
斯かる構成によれば、測定内部品質項目を選択する際の作業効率を向上させることができると共に、測定内部品質項目の選択時に、品質判定すべき又は重要な内部品質項目が選択モレすることを可及的に防止することができる。
【００５５】
好ましくは、品質判定すべき又は重要な内部品質項目を重要度に応じた状態で表示することができる。
【００５６】
本実施の形態においては、図２及び図３に示すように、「◎」、「○」及び「△」を用いて重要度を表示している。
「◎」は、含有量が多い成分、又は、最重要成分であることを意味し、「○」は、普通程度に含有されている成分、又は、重要成分であることを意味し、「△」は、量的には少ない又は重要ではないが、含有されている成分であることを意味している。
【００５７】
なお、本実施の形態においては、判定可能対象物の一覧及び判定可能内部品質項目の一覧を表示する際に推奨品質内部項目を表示させ、推奨内部品質項目が表示された状態の判定可能内部品質項目の一覧から作業者が測定内部品質項目を選択するように構成されているが、これに代えて、判定可能対象物の一覧から前記入力装置７０を介して測定対象物Ｓが選択されると、前記制御装置５０が、選択された測定対象物Ｓの推奨内部品質項目を自動的に測定内部品質項目として選択するように構成することも可能である。
【００５８】
即ち、図２において、品種「ｃ１」が選択されると、当該品種の推奨内部品質項目である「糖度」、「ビタミンＢ１」、「ビタミンＥ」及び「カロテノイド」が自動的に測定内部品質項目として選択された状態（図３の状態）が現出されるように、構成することも可能である。
【００５９】
当然ながら、推奨内部品質項目が自動的に測定内部品質項目として選択された状態に対して、前記入力装置７０を介して、内部品質項目を追加又は削除することも可能である。
【００６０】
ところで、農産物等においては、形状等の外部品質も重要な品質判断要素となる。
この点に鑑み、総合品質判定に、形状等の外部品質を加えることも可能である。
この場合には、前記制御装置５０は、前記モニター画面に判定可能対象物の一覧及び判定可能内部品質項目の一覧を表示させる際に、図５に示すように、外部形状等の外部品質項目を併せて表示させ、作業者が測定内部品質項目の選択を行う際に、外部品質項目を選択し得るように構成される。
【００６１】
即ち、前記制御装置５０は、測定内部品質項目の選択操作に際し、外部品質項目が併せて選択操作されると（図６参照）、測定内部品質項目の品質判定結果を表示させる際に、図７に示すように、外部品質項目に関する品質判定結果を併せて表示するように構成され得る。
【００６２】
なお、外部品質項目としては、形状、大きさ、色合い等が例示される。
この外部品質項目に関する品質判定は、例えば、前記品質判定システム１に撮像装置（図示せず）を備え、前記制御装置５０が前記撮像装置からの信号に基づき公知の方法に従って行うように構成され得る。
これに代えて、作業者が目視で外部品質項目の品質判定を行い、その結果を前記入力装置７０を介して入力するように構成することも可能である。
【００６３】
このようにして外部品質項目の品質が得られている場合には、前記制御装置５０は、重み付けを勘案した状態で、測定内部品質項目の判定品質に加えて外部品質項目の判定品質に基づき総合品質判定を行う。
【００６４】
ここで、図６に示す例を用いて、重み付けを勘案した状態での測定内部品質項目の判定品質及び外部品質項目の判定品質に基づく総合品質判定について説明する。
【００６５】
図６の例においては、測定内部品質項目として「糖度」、「ビタミンＢ１」、「ビタミンＥ」及び「カロテノイド」の４項目が選択され、これに加えて、外部品質項目として「形状」が選択されている。
【００６６】
この場合、「形状」、「糖度」、「ビタミンＢ１」、「ビタミンＥ」及び「カロテノイド」に対してそれぞれ設定される重み付け係数の合計が１になるように、それぞれの項目に対する重み付け係数が任意にされる。
【００６７】
例えば、「形状」、「糖度」、「ビタミンＢ１」、「ビタミンＥ」及び「カロテノイド」に対する重み付け係数が、それぞれ、「０．２」、「０．３」、「０．１」、「０．１」及び「０．３」と設定され、各項目の品質判定が、図７に示すように、それぞれ、「優」、「秀」、「優」、「優」及び「秀」であったとする。
【００６８】
この場合において、品質ポイントの換算値及び総合品質ポイント用の閾値が図４に示す例と同じであるとすると、総合品質ポイントＧは４．２となり（Ｇ＝０．２×３点＋０．３×５点＋０．１×３点＋０．１×３点＋０．３×５点＝４．２）、上側閾値３．５よりも大なので、総合品質は「秀」と判定される。
【００６９】
即ち、この例においては、測定対象物Ｓは、外部品質は特に秀でてはいないものの、内部品質が秀でいている為、総合判定は、外部品質判定の「優」から格上げされた「秀」とされている。
【符号の説明】
【００７０】
１          品質判定システム
１０        投光部
２０        受光部
３０        分光部
５０        制御装置
６０        表示装置
７０        入力装置
【図１】
2016205875.tif 000003
【図２】
2016205875.tif 000004
【図３】
2016205875.tif 000005
【図４】
2016205875.tif 000006
【図５】
2016205875.tif 000007
【図６】
2016205875.tif 000008
【図７】
2016205875.tif 000009